(57)【特許請求の範囲】
【請求項１】
携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記補助具本体の側面に切り欠き部が設けられるとともに、前記回動板の側面に切り欠き部が設けられていることを特徴とする携帯用ゲーム機の使用補助具。
【請求項２】
携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記回動板の回転中心近傍に回転ストッパが設けられ、前記回転ストッパは、前記回転部に設けられた凸部と、これに嵌合する前記補助具本体に設けられた凹部とを含み、前記凸部及び前記凹部は略扇形状であることを特徴とする携帯用ゲーム機の使用補助具。
【請求項３】
携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記照明装置の近傍における前記回動板の前記補助具本体側の部分に少なくとも一つの透明部を設け、前記照明装置の照明を前記携帯用ゲーム機の表示画面に導くことを特徴とすることを特徴とする携帯用ゲーム機の使用補助具。
【請求項４】
前記補助具本体の側面に切り欠き部が設けられるとともに、前記回動板の側面に切り欠き部が設けられていることを特徴とする請求項２または３に記載の携帯用ゲーム機の使用補助具。
【請求項５】
前記回動板の回転中心近傍に回転ストッパが設けられ、前記回転ストッパは、前記回転部に設けられた凸部と、これに嵌合する前記補助具本体に設けられた凹部とを含み、前記凸部及び前記凹部は略扇形状であることを特徴とする請求項１または３に記載の携帯用ゲーム機の使用補助具。
【請求項６】
前記照明装置の近傍における前記回動板の前記補助具本体側の部分に少なくとも一つの透明部を設け、前記照明装置の照明を前記携帯用ゲーム機の表示画面に導くことを特徴とする請求項１または２に記載の携帯用ゲーム機の使用補助具。
【請求項７】
前記照明装置用の電池が前記回動板の回動中心近傍に設けられていることを特徴とする請求項１〜６にいずれかに記載の携帯用ゲーム機の使用補助具。
【請求項８】
前記レンズは前記携帯用ゲーム機の表示画面上全体にわたって設けられていることを特徴とする請求項１〜７のいずれかに記載の携帯用ゲーム機の使用補助具。
【請求項９】
前記補助具本体は透明な材質であり、外光を前記携帯用ゲーム機の表示画面に導くことを特徴とする請求項１〜８のいずれかに記載の携帯用ゲーム機の使用補助具。
【請求項１０】
前記補助具本体の突起部の一部は、前記携帯用ゲーム機のビス孔に嵌合し、他の一部は前記携帯用ゲーム機の部品の隙間に嵌合することを特徴とする請求項１〜９のいずれかに記載の携帯用ゲーム機の使用補助具。
【発明の詳細な説明】
【０００１】
【発明の属する技術分野】
本発明は、携帯用ゲーム機や卓上型電子計算機等（以下これらを総称して「携帯用ゲーム機」という）に取り付けて、画面を拡大したり、画面に照明を当てたりする使用補助具に関する。
【０００２】
【従来の技術】
近時家庭用ゲーム機の普及とともにハンディタイプのゲーム機が出回っている。このようなゲーム機は掌サイズであるため、画面の大きさが小さく長時間の遊技では目に対する負担が大きい。またこの種のゲーム機は液晶画面であるため、暗いところでは使用することができなかった。
【０００３】
従来のこの種の使用補助具として、実用新案登録公報第２５２５６９９号に開示されたものがある。
【０００４】
【発明が解決しようとする課題】
しかし、従来の使用補助具は、画面を拡大するためのレンズが本体から離れていて使いづらい面があるとともに、携帯用ゲーム機のもっとも重要な部分である液晶表示部を保護することができなかった。
【０００５】
本考案はこのような背景に鑑みなされたものであって、より使いやすく機能的であり、ハンディ型ゲーム機の画面を更に見やすく、かつ、暗い場所でも遊技できるようにした携帯用ゲーム機の使用補助具を提供することを目的とする。
【０００６】
【課題を解決するための手段】
第１の発明に係る携帯用ゲーム機の使用補助具は、携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記補助具本体の側面に切り欠き部が設けられるとともに、前記回動板の側面に切り欠き部が設けられていることを特徴とする。
第２の発明に係る携帯用ゲーム機の使用補助具は、携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記回動板の回転中心近傍に回転ストッパが設けられ、前記回転ストッパは、前記回転部に設けられた凸部と、これに嵌合する前記補助具本体に設けられた凹部とを含み、前記凸部及び前記凹部は略扇形状であることを特徴とする。
第３の発明は、携帯用ゲーム機に着脱自在に取り付けるためのひとつ又は複数の突起部を含む補助具本体と、前記補助具本体に設けられて前記携帯用ゲーム機の表示画面を拡大するレンズと、前記補助具本体に設けられる回動自在な回動板と、前記回動板の端部に設けられて前記携帯用ゲーム機の表示画面を照明する照明装置とを備え、
前記回動板は、少なくとも、収納された第１の状態と引き起こされた第２の状態をとることができ、前記第１の状態では、前記回動板に設けられた開口部に前記レンズが収納され、前記レンズを通して画面を見ることができ、前記第２の状態では、前記照明装置により前記携帯用ゲーム機の表示画面が照明され、
前記照明装置の近傍における前記回動板の前記補助具本体側の部分に少なくとも一つの透明部を設け、前記照明装置の照明を前記携帯用ゲーム機の表示画面に導くことを特徴とする。
【０００７】
本使用補助具は、携帯用ゲーム機へワンタッチで装着することができる。前記第１の状態（閉じた状態）ではコンパクトな状態で画面を拡大して見ることができる。暗いところでは回動板（２）を引き上げ前記第２の状態（開いた状態）にして、スイッチ（Ｓ）をオンすると照明（５）が点灯し、画面が照射される。反射型液晶パネルの表示画面が鮮明になり、どこでもゲームを明るく楽しむことができる。
【０００８】
【発明の実施の形態】
この発明の実施の形態に係る携帯用ゲーム機の使用補助具について図面を参照して説明する。
【０００９】
図１は、この発明の実施の形態に係る使用補助具の斜視図（開いた状態）である。図２は、この発明の実施の形態に係る使用補助具の正面図である。図３は、この発明の実施の形態に係る使用補助具の背面図である。図４は、この発明の実施の形態に係る使用補助具の右側面図である。図５は、この発明の実施の形態に係る使用補助具の斜視図（閉じた状態）である。図６は、この発明の実施の形態に係る使用補助具の平面図である。図７は、この発明の実施の形態に係る使用補助具の底面図である。図８は、この発明の実施の形態に係る使用補助具の使用状態を示す斜視図（閉じた状態）である。図９は、この発明の実施の形態に係る使用補助具の使用状態を示す斜視図（開いた状態）である。図８及び図９は、携帯用ゲーム機本体に本使用補助具が取り付けられた状態を示す。
【００１０】
この使用補助具は、携帯用ゲーム機に着脱自在に取り付けるためのひとつ又は複数の突起部（１ａ，１ｂ，１ｃ）を含む補助具本体（２）と、前記補助具本体に設けられて前記携帯用ゲーム機の表示画面を拡大するレンズ（３）と、前記補助具本体に設けられ回動自在な回動板（４）と、前記回動板の端部に設けられて前記携帯用ゲーム機の表示画面の照明をする照明装置（５）とを備えている。
【００１１】
前記回動板は、少なくとも、収納された第１の状態（図５、図８）と引き起こされた第２の状態（図１、図９）の２つの状態をとることができる。前記第１の状態では、前記回動板に設けられた開口部（６）に前記レンズが収納され、前記レンズを通して画面を見ることができる。前記第２の状態では、前記照明装置（５）により前記携帯用ゲーム機の表示画面が照射される。
【００１２】
図２、図３に示すように、前記照明装置用の電池（７）が前記回動板の回動中心近傍に設けられている。
【００１３】
前記レンズ（３）は前記携帯用ゲーム機の表示画面上全体にわたって設けられている。このレンズの大きさは携帯用ゲーム機の液晶表示装置とほぼ同じであり、補助具本体（２）にしっかりと固定されている。補助具本体（２）は突起部（１）により携帯用ゲーム機をしっかりと保持しているので、使用中に外れたり、レンズ（３）と液晶表示装置の位置がずれることはない。このレンズ（３）の面積拡大率は約１．２倍であり、画面をワイドに拡大して迫力満点である。
【００１４】
前記補助具本体（２）は透明な材質であり、外光を前記携帯用ゲーム機の表示画面に導くことができる。液晶画面を保護するポリカーボネイト製ボディである。
【００１５】
前記照明装置（５）の近傍に２面の透明部（５ａ，５ｂ）を設け、前記照明装置の照明を前記携帯用ゲーム機の表示画面に導いている。透明部（５ａ）は回動板（４）の縁にその内側に向かって（開口部６に面する側）に設けられている。透明部（５ａ）は回動板（４）が引き上げられたときにほぼ真下に光を導く。透明部（５ｂ）は透明部（５ａ）と直交する面に設けられているが、透明部（５ａ）と異なり全面に設けられておらず、その一部にのみ設けられている。これは照明光を携帯用ゲーム機の画面に対して斜めに導くためであり、また、遊技者の目に直接照明光を当てないためでもある。
【００１６】
前記補助具本体（２）の側面に切り欠き部（２ａ）が設けられるとともに、前記回動板の側面に切り欠き部（４ａ）が設けられている。これら切り欠きはキーを操作する指の動きを妨げないためである。
【００１７】
前記補助具本体の突起部の一部（１ａ，１ｂ）は、前記携帯用ゲーム機のビス孔に係合し、他の一部（１ｃ）は前記携帯用ゲーム機の部品の隙間に係合する。突起部１ａ，１ｂはコの字型をしており、コの字の部分で携帯用ゲーム機を上下から挟み込むとともに、突起部１ａ，１ｂの端部に設けられた半球状の凸部が前記ビス孔に嵌合して、補助具本体を携帯用ゲーム機にしっかりと固定する。突起部１ｃの先端には直線状の凸部が設けられている。この凸部が携帯用ゲーム機のケースの隙間（ケースは複数の部品から構成されるがこれら部品の間のわずかな隙間）に嵌合して、補助具本体を携帯用ゲーム機にしっかりと固定する。
【００１８】
前記回動板の回転中心近傍に回転ストッパ（８）が設けられ、前記回転ストッパは、前記回転板に設けられた凸部と、これに係合する前記補助具本体に設けられた凹部とを含み、前記凸部及び前記凹部は略扇形状である。
【００１９】
本使用補助具は、携帯用ゲーム機へワンタッチで装着することができる。暗いところでは回動板（２）を引き上げスイッチ（Ｓ）をオンすると照明（５）が点灯し、画面が照射される。反射型液晶パネルの表示画面が鮮明になり、どこでもゲームを明るく楽しむことができる。また、回動板２に開口部６が設けられているので、閉じたままでもプレイ可能である。
【００２０】
また、本使用補助具のデザインは、本体との一体感を出したスタイリッシュなデザインである。
【００２１】
本発明は、以上の実施の形態に限定されることなく、特許請求の範囲に記載された発明の範囲内で、種々の変更が可能であり、それらも本発明の範囲内に包含されるものであることは言うまでもない。
【００２２】
【発明の効果】
以上のように、この発明によれば、レンズを通して画面を見ることができ、また、照明装置により携帯用ゲーム機の表示画面を照射するので、ハンディ型ゲーム機の画面を更に見やすく、かつ、暗い場所でも遊技できるようになる。
【００２３】
また、前記照明装置用の電池が前記回動板の回動中心近傍に設けられているので、回動板の開閉が楽に行えるとともに、重心の位置が携帯用ゲーム機に近くかつ低くなり、使用補助具の状態が安定する。本使用補助具のなかで電池の重量がもっとも大きいので、電池の位置を本発明のようにすることが重要でありかつ効果的である。
【００２４】
また、前記レンズは前記携帯用ゲーム機の表示画面上全体にわたって設けられているので、前記携帯用ゲーム機の表示画面を保護することができる。
【００２５】
また、前記補助具本体は透明な材質であり、外光を前記携帯用ゲーム機の表示画面に導くので、照明を使用しないときでもゲーム画面が見やすくなる。
【００２６】
また、前記照明装置の近傍に２面の透明部を設け、前記照明装置の照明を前記携帯用ゲーム機の表示画面に導くので、照明光は前記携帯用ゲーム機に斜めに照射される。このため利用者の視線に沿って光が反射されるのでゲーム画面が見やすくなる。さらに、照明光が直接利用者の目に入ることがなく、目がつかれにくい。
【００２７】
また、前記補助具本体の側面に切り欠き部が設けられるとともに、前記回動板の側面に切り欠き部が設けられているので、本使用補助具が利用者のキー操作を邪魔することがない。
【００２８】
また、前記補助具本体の突起部の一部は、前記携帯用ゲーム機のビス孔に係合し、他の一部は前記携帯用ゲーム機の部品の隙間に係合するので、本使用補助具は前記携帯用ゲーム機に安定して保持される。
【００２９】
また、前記回動板の回転中心近傍に回転ストッパが設けられ、前記回転ストッパは、前記回転部に設けられた凸部と、これに係合する前記補助具本体に設けられた凹部とを含み、前記凸部及び前記凹部は略扇形状であるので、ストッパのがたが少なく、回動板が安定する。また、操作感の点でも優れる。
【図面の簡単な説明】
【図１】この発明の実施の形態に係る使用補助具の斜視図（開いた状態）である。
【図２】この発明の実施の形態に係る使用補助具の正面図である。
【図３】この発明の実施の形態に係る使用補助具の背面図である。
【図４】この発明の実施の形態に係る使用補助具の右側面図である。
【図５】この発明の実施の形態に係る使用補助具の斜視図（閉じた状態）である。
【図６】この発明の実施の形態に係る使用補助具の平面図である。
【図７】この発明の実施の形態に係る使用補助具の底面図である。
【図８】この発明の実施の形態に係る使用補助具の使用状態を示す斜視図（閉じた状態）である。
【図９】この発明の実施の形態に係る使用補助具の使用状態を示す斜視図（開いた状態）である。
【符号の説明】
１ａ，１ｂ，１ｃ  突起部
２  補助具本体
２ａ  補助具本体の側面に切り欠き部
３  レンズ
４  回動板
４ａ  回動板の側面に切り欠き部
５  照明装置
５ａ，５ｂ  照明光透過用の透明部
６  開口部
７  電池
８  回転ストッパ
【図１】
0003545719.tif 000002
【図２】
0003545719.tif 000003
【図３】
0003545719.tif 000004
【図４】
0003545719.tif 000005
【図５】
0003545719.tif 000006
【図６】
0003545719.tif 000007
【図７】
0003545719.tif 000008
【図８】
0003545719.tif 000009
【図９】
0003545719.tif 000010